(57)【特許請求の範囲】
【請求項１】
一枚の段ボールシート製のブランクからなる紙製緩衝体であって、
方形の底板部と四方の外方傾斜した壁部とを備え、隣り合う壁部同士を糊代部を介して連結して、底板部上に前記四方の外方傾斜した壁部で囲まれた製品配置空間が形成され、
前記底板部における少なくとも一辺の壁部に沿った位置に、底板部を折り起こして上方に凸の断面略山形にして変形可能とした緩衝部が設けられ、前記緩衝部は、該緩衝部が沿う壁部とこの壁部に隣り合う外方傾斜の壁部との壁部同士の連結とともに折り起こし形成されてなり、この緩衝部が沿っている壁部に隣り合っている前記外方傾斜の壁部と前記緩衝部との間が上面に向けて上開きした非連続状態とされていることを特徴とする紙製緩衝体。
【請求項２】
上記緩衝部には、製品配置空間に載置する製品の所要部位との干渉を避ける切り欠きが設けられている請求項１に記載の紙製緩衝体。
【請求項３】
上記底板部には、製品配置空間に載置する複数の製品を仕切る仕切りが折り起こし形成されている請求項１、２のいずれか一項に記載の紙製緩衝体。
【請求項４】
上記仕切りの端部に、この仕切り片の端部側の壁部の板材を該壁部に折り返してなる折り返し片が形成されていて、該折り返し片が前記壁部に貼り合わせられている請求項３に記載の紙製緩衝体。
【発明の詳細な説明】
【０００１】
【発明の属する技術分野】
本発明は各種製品の保存や運搬の際に、保護及び破損防止を目的として用いる紙製緩衝体に関するものである。
【０００２】
【発明が解決しようとする課題】
近年、携帯タイプの電子機器製品に対する需要が高まっていることから多く生産され、一般の市場において広く販売されている。そして、このような携帯タイプの電子機器製品では比較的製品強度が高い製品として生産されていることから、製造後の流通段階において製品を保護する目的で使用される緩衝体については、つぎの条件を満足すればよい。即ち、従来の電子機器製品や精密機械品などの場合と異なって、緩衝体を用いて製品を一台、または複数台まとめて梱包した状態で、角落下などの破損、製品の突起部などの部分的に脆弱な部分（例えば、アンテナ先端部分など）に直接衝撃が伝わらないようにすればよく、比較的簡易な形状の緩衝体であっても十分に製品の輸送、保管に耐えることができる。
【０００３】
上述のような現状において、携帯型電子機器製品用の緩衝体には、複数枚の段ボール材を従来手法により組み合わせて製品を並べ置きできるように段ボール製のトレーが使用されているが、複数枚の段ボール材を折り合わせたりかみ合わせたりして組み起こしているため、緩衝体自体の製造に手間を要している。
また、紙繊維を材料とした紙製緩衝体も利用されることが多く、特に短繊維の紙繊維などからなるパルプを所要形状に押し固めて乾燥させたパルプモールドの利用が増大している。しかし、パルプモールドのような紙繊維を材料とするこのトレー型成型緩衝体は、収容する複数の製品が隣同士で直接接触しないようにする仕切りとして紙一枚の厚さの緩衝部分があればよい場合でも、成型時にある程度の厚さのある部分として形成されてしまい、よって、緩衝体の全体寸法が無駄に大きくなるというなどの問題があった。また、廃棄に際しても減容化し難いという問題も生じている。
そこで、本発明は上記事情に鑑み、一枚の段ボールシート製のブランクから、上記電子機器製品を収容するための所要の機能を満足する紙製緩衝体を開発することを課題とし、安価にして廃棄処分が容易に行なえる紙製緩衝体を得ることを目的とするものである。
【０００４】
【課題を解決するための手段】
本発明は上記課題を考慮してなされたもので、一枚の段ボールシート製のブランクからなる紙製緩衝体であって、方形の底板部と四方の壁部とを備え、隣り合う壁部同士を糊代部を介して連結して、底板部上に前記四方の壁部で囲まれた製品配置空間が形成され、前記底板部における少なくとも一辺の壁部に沿った位置に、底板部を折り起こして上方に凸の断面略山形にして変形可能とした緩衝部が設けられ、前記緩衝部は、該緩衝部が沿う壁部とこの壁部に隣り合う外方傾斜の壁部との壁部同士の連結とともに折り起こし形成されてなり、この緩衝部が沿っている壁部に隣り合っている前記外方傾斜の壁部と前記緩衝部との間が上面に向けて上開きした非連続状態とされていることを特徴とする紙製緩衝体を提供して、上記課題を解消するものである。
そして、本発明において、上記緩衝部には、製品配置空間に載置する製品の所要部位との干渉を避ける切り欠きを設けることが可能である。また、上記底板部には、製品配置空間に載置する複数の製品を仕切る仕切りを折り起こし形成することが可能である。
さらに、本発明において、上記仕切りの端部に、この仕切り片の端部側の壁部の板材を該壁部に折り返してなる折り返し片が形成されていて、該折り返し片が前記壁部に貼り合わせられているものとすることが可能である。
【０００５】
【発明の実施の形態】
つぎに本発明を図１から図１３に示す実施の形態に基づいて詳細に説明する。
図中１は紙製緩衝体で、該紙製緩衝体１は方形の底板部２の四方に若干外方に傾斜した壁部３、４、５、６を備えたトレー形状を呈しており、底板部２の上に、この四方の壁部３、４、５、６により囲まれて上面が開放されている製品配置空間７を形成している。
そして、図１に示されているように、底板部２における長尺側の一辺の壁部３に沿った位置に、上方に凸とした緩衝部８が設けられていて、製品配置空間７に一つの収容物、あるいは複数の収容物を並べ設けた状態で置き、図示しない外箱などに収め、その外箱に収容物を収めてなる梱包物が誤って床上などに落下して、収容物が前記緩衝物８に突き当たるようなことがあっても、その衝撃を、後述の構造によって緩衝機能を有する緩衝部８で吸収できるようにしている。このように紙製緩衝体１の製品配置空間７に置く収容物にあっては、その収容物自体の製品強度が比較的高いものであって、収容物の外周部に部分的に保護したい箇所がある場合に、その脆弱箇所を緩衝部８に対応させた状態にして入れればよく、この種の収容物に対してこの紙製緩衝体１が利用されるものである。
【０００６】
上記紙製緩衝体１は、金型の上型と下型との間に一枚の段ボールシート製のブランク９を配し、その金型の型締め動作によって組み起こしてなるものであり、図２に示すように方形の底板部２における長尺の辺に沿った方向に対向する辺それぞれ（即ち、短尺の辺それぞれ）に折り罫ａを介して上記壁部５、６が連接されている。また、底板部２の一方の長尺の辺に折り罫ａを介して上記壁部４が連接されているとともに、もう一方の長尺の辺に折り罫ａを介して上記緩衝部８が連接され、この緩衝部８に折り罫ａを介して上記壁部３が連接されている。
上記壁部５、６は端部それぞれに糊代部１０を有していて、型締めの金型圧着による折り起こしが行われるときに、隣り合う壁部同士において一方の壁部の糊代部１０が他方の壁部の端部内面側（製品配置空間側の面）に接着剤を介して貼り合わされ、これによって隣り合う壁部同士が連結されている。上記緩衝部８自体は、底板部２の底板本体２ａを壁部３側に延設してこの部分を金型の型締めにて折り起こして上方に凸の断面略山形にしてなるものである。そして、図１に示されているようにこの緩衝部８が沿っている壁部に隣り合っている外方傾斜の壁部と前記緩衝部８との間が上面に向けて上開きした非連続状態とされている。
【０００７】
この緩衝部８では、前記底板本体２ａ側から折り罫ａを介して順に連接するようにした緩衝板１１と支持板１２とからなり、支持板１２が折り罫ａを介して壁部３に連接している。そして、図３に示すように前記底板本体２ａ側の折り罫ａと壁部３側の折り罫ａとを谷折りとし、緩衝板１１と支持板１２の間の折り罫ａを山折りとなるようにして折り込むことで、前述したように断面山形の緩衝部８が形成され、緩衝板１１と支持板１２とが段ボールシートであることから緩衝部８全体としては変形可能にして衝撃を吸収できる構成を有し、製品配置空間７に置いた収容品がこの緩衝板１１にぶつかるようなことがあっても緩衝板１１が変形して衝撃を和らげ、収容品に損傷を生じさせない。
【０００８】
上述したように隣り合う壁部同士は糊代部１０を介して連結されていることから、上記壁部３にあっても隣り合う壁部５、６に対して糊代部１０を介して連結された状態となっており、このため、紙製緩衝体１の一辺としての壁部３が単独に移動することなく定められている。よって、上方に折り起こしてなる緩衝部８において、展開状態に戻ろうとする力が生じていても緩衝部８は上方に向けて凸の断面山形状とした形状が維持され、この緩衝部８の機能が失われることがない。
【０００９】
上記実施の例では緩衝部８を長尺な壁部の長手方向に沿って連続する形状に設けられているが、この緩衝部８が壁部の長手方向に沿って連続している必要は必ずしもなく、製品配置空間７に置く収容物の形状に応じて切り欠き１３を有し、その結果として緩衝部３が壁部に沿って連続することなく分断された状態となってもよい。
例えば、図４から図６の第二の例に示すように収容物ｃの一辺側に凸部ｂがあり、この凸部ｂが壁部３側に向くようにして製品配置空間７に置く場合には、緩衝部３の中央部分に一つの切り欠き１３を設けて凸部ｂとの干渉を避けている。これによって、製品配置空間７に置いた収容物ｃが仮に緩衝部８側に勢いを持って移動したとしても、分断状態の緩衝部８それぞれに収容物ｃの前記凸部ｂを除いた部分が当接して衝撃を吸収できるようになる。
【００１０】
上記実施の形態では、展開したブランク９の状態で示すように、底板部２の壁部３側の部分において、壁部３の長手方向での中央に上記切り欠き１３を形成するために離間している一対の切れ目１４を入れており、この一対の切れ目１４の位置から壁部５、６それぞれに向けて上記緩衝板１１と支持板１２とが設けられており、これによって緩衝板１１と支持板１２とのそれぞれが不連続な状態となる。
また、これら切れ目１４で挟まれた領域においては、中央部分を打ち抜いて、底板本体２ａから壁部３側に向けて張り出た舌片１５と、壁部３の折り部ａから底板本体２ａに向けて張り出た舌片１６とを残した状態で、壁部３と底板本体２ａとが分離している。
そして上記構造のブランク９を用いて、金型の型締めにより各壁部３、４、５、６を折り起こして隣り合う壁部を連結するとともに、緩衝板１１と支持板１２との間の折り罫ａが山折りとなるように折り上げることで、上記切り欠き１３を間に配した二つの緩衝部８が設けられるようになる。
【００１１】
切り欠き１３を形成するための上記切れ目１４それぞれは、切れ目１４の間の打ち抜き部分が広くなるように略く字型に屈曲した形状としている。これによって、折り起こされた各緩衝部８にあっては、頂部１７（緩衝板１１と支持板１２との間の折り罫ａを山折りしてなる部分）の長手方向における寸法が、緩衝板１１と支持板１２との基端側の寸法より小さくなり、長手方向に直交する方向から緩衝部８を見たときの側面形状が上方に向けて細くなるテーパー状を呈している。
上述したように壁部３、４、５、６が外方に向けて傾斜し、そして上記緩衝部８それぞれが上方を小さくしたテーパー形状に設けられていることから、紙製緩衝体１のスタッキング性が良好となり、複数の紙製緩衝体１を積み上げても上下方向での嵩張りが少なくなり、保管時に際して空間を広く占めることない。また、切り欠き１３は上方に向けて広がった状態で開放される形状となり、凸部ｂを切り欠き１３に対応させながら収容物ｃを製品配置空間７に配置する作業も容易になる。
【００１２】
なお、切り欠き１３に位置する上記舌片１５、１６は緩衝部８が折り起こされるときに重なり合うように設けられており、金型の型締めが行われるときに圧着によって上記糊代部を壁部に貼り付ける場合と同じように、この舌片１５、１６同士も接着剤を用いて金型の圧着により貼り合わされている（図６参照）。
また、この舌片１５、１６を貼り合わせることで、この貼り合わせ部分を介して底板本体２ａに壁部３が支持されるようになり、変形により緩衝効果を発揮する緩衝部８が近接しながらもこの壁部３の剛性が高められている。
【００１３】
本発明の紙製緩衝体１にあっては、複数の収容物を並べ置くときに隣り合う収容物が干渉し合わないようにする仕切りを一体に設けるようにしてもよい。図７と図８とは第三の例として前記仕切りを有する例を示して、底板本体２ａに略コ字型状の切れ目１９を入れるとともに、その切れ目１９の端部同士を結ぶ位置に折り罫ａを入れることにより、切り起こし可能な仕切り２０が複数設けられ、金型の型締めの時点で、壁部の上記連結と同時にこれら複数の仕切り２０が折り起こし形成されているものである。
上記切れ目１９の中央位置には指掛け孔１８が図８に示すように予め打ち抜き形成され、仮に仕切り２０が倒れて底板本体２ａと面一となるようなことがあっても、この指掛け孔１８に指先を通して仕切り２０を容易に起こすことができるように設けられている。
【００１４】
図９は第四の例をブランクの状態で示している。この第四の例では壁部３側に位置する上記緩衝部８を壁部４側にも設けており、収容物がこの壁部３、４の対向方向に勢いが付いた状態で移動することがあっても、壁部３側の緩衝部８や壁部４側の緩衝部８が衝撃を吸収しながらその収容物を受けて損傷が生じないようにしている。このように紙製緩衝体１では、緩衝部８が一辺の壁部側のみに限定して折り起こし形成されるものではなく、対向位置する壁部それぞれに近接するようにして、また、四辺それぞれの壁部に近接するようにして緩衝部８が折り起こし形成されるようにしてもよい。
【００１５】
図１０と図１１とは第五の例を示していて、それぞれが端部側に凸部ｂを有する複数の収容物ｃ（例えば携帯電話機）を並べ置くことができるようにした紙製緩衝体１である。この紙製緩衝体１では底板本体２ａに一体にして複数の仕切り２０が設けられているとともに、製品配置空間７を仕切り２０で仕切ってなる部分それぞれに置く収容物ｃの凸部ｂに対応して緩衝部８に複数の切り欠き１３が設けられている。そして、切り欠き１３の部分に位置する舌片１５、１６は上記実施の例と同じように貼り合わされている。さらに、この例では緩衝部８と仕切り２０との両者を有しているものであり、上記それぞれの実施例と同じように金型で型締めして、糊代部１０の貼り付けによる壁部３、４、５、６の連結、緩衝部８の折り起こし、貼り合わせによる舌片１５、１６の連結、仕切り２０の折り起こしとが同時に行われて、この紙製緩衝体１が得られている。
【００１６】
図１２と図１３とは第六の例を示している。この実施の例では壁部３側にのみ緩衝部８が折り起こしして形成されている。そして、製品配置空間７を壁部３、４の貼着方向に仕切る複数の仕切り２０それぞれが壁部４に連続するように設けられているものであって、仕切り２０を折り起こすための切れ目１９と折り罫ａとを壁部４の基端の折り罫ａまで延長し、さらに壁部４の基端の折り罫ａの位置から、前記切れ目１９と仕切り２０の折り起こしのための折り罫ａとを壁部４の板材中で接続して、切れ目１９と二つの折り罫ａで囲まれた略三角状の折り返し片２１を形成し、仕切り２０を折り起こしするときに前記折り返し片２１が壁部４に折り返されるようにしている。そして、型締めが行われるときの金型圧着にて前記折り返し片２１が壁部４に接着剤を介して貼り合わされている（図１３参照）。この折り返し片２１と壁部４との貼り合わせで仕切り２０の倒れが防止される。また、この仕切り２０の立ち上がり寸法を収容物の厚さより大きくしておけば、上方から加えられる圧力が収容物に直接加わるのを防止することとができるようになる。
【００１７】
なお、上述した接着剤を介して貼り合わせる部分は金型の型締めの際にその金型圧着の圧力（組み起こししながら金型を閉じるときの力）により貼り合わされるものであって、特に貼り合わせ部分についてのみに高い圧着力を加えたり、型締め後に部分的に圧着力を加えたりする必要はない。
【００１８】
【発明の効果】
以上説明したように本発明の紙製緩衝体によれば、一枚の段ボールシート製のブランクからなる紙製緩衝体であって、方形の底板部と四方の外方傾斜した壁部とを備え、隣り合う壁部同士を糊代部を介して連結して、底板部上に前記四方の外方傾斜した壁部で囲まれた製品配置空間が形成され、前記底板部における少なくとも一辺の壁部に沿った位置に、底板部を折り起こして上方に凸の断面略山形にして変形可能とした緩衝部が設けられ、前記緩衝部は、該緩衝部が沿う壁部とこの壁部に隣り合う外方傾斜の壁部との壁部同士の連結とともに折り起こし形成されてなり、この緩衝部が沿っている壁部に隣り合っている前記外方傾斜の壁部と前記緩衝部との間が上面に向けて上開きした非連続状態とされていることを特徴とするものである。
このように紙製緩衝体が一枚の段ボールシート製のブランクを組み起こしてなるものであるため、安価な緩衝体が得られるようになり、また、緩衝部が断面略山形に折り起こししたものであるため、緩衝部が二面の板材を有する簡単な構造となり、紙製緩衝体を製造する上でのブランクの形状を小さなものとすることができる。
そして、緩衝部は断面略山形で中空なものであるため、下位の紙製緩衝体の緩衝部が上位の紙製緩衝体の緩衝部に入り込むようにして複数の紙製緩衝体を積み重ねることができ、未使用時の多くの紙製緩衝体を保管する際にその保管スペースが低減できる。
さらに緩衝部が上述のように断面略山形を呈していることにより基本的な強度を有しているため、底板部でのこの緩衝部が占める領域を少なくしても全体の強度不足を招くことはなく、また切り欠きを設けて緩衝部を不連続のものとするなどの手段により、強度の調整も可能となる。
【００１９】
そして、緩衝部自体が簡易な構造であるために切り欠きを設けることも容易であり、収容物の端部に脆弱な凸部があるなどの場合のように、部分的な箇所との干渉を避けるための加工が行なえ、収容物の形状に応じた緩衝部とすることができる。さらに、底板部自体も段ボールシートの板材であり、収容物が複数個のときの仕切りが緩衝体作成時に得られる構成を底板部に設けることができる。
また、紙製緩衝体は段ボールシート製のブランクを組み起こしてなるものであり、従来の紙製成型品では困難であった使用後の廃棄、または再使用に向けての減容化のための解体が容易になるなど、実用性に優れた効果を奏するものである。
【図面の簡単な説明】
【図１】  本発明に係る紙製緩衝体の第一の例を示す説明図である。
【図２】  第一の例のブランクを示す説明図である。
【図３】  第一の例において緩衝部を横断する断面を示す説明図である。
【図４】  第二の例を示す説明図である。
【図５】  第二の例のブランクを示す説明図である。
【図６】  第二の例における緩衝部を断面で示す説明図である。
【図７】  第三の例を示す説明図である。
【図８】  第三の例のブランクを示す説明図である。
【図９】  第四の例のブランクを示す説明図である。
【図１０】  第五の例を示す説明図である。
【図１１】  第五の例のブランクを示す説明図である。
【図１２】  第六の例のブランクを示す説明図である。
【図１３】  第六の例における仕切りと壁部との連結部分を示す説明図である。
【符号の説明】
１…紙製緩衝体
２…底板部
３、４、５、６…壁部
８…緩衝部
１０…糊代部
１１…緩衝板
１２…支持板
１３…切り欠き
２０…仕切り
【図１】
0003916131.tif 000002
【図２】
0003916131.tif 000003
【図３】
0003916131.tif 000004
【図４】
0003916131.tif 000005
【図５】
0003916131.tif 000006
【図６】
0003916131.tif 000007
【図７】
0003916131.tif 000008
【図８】
0003916131.tif 000009
【図９】
0003916131.tif 000010
【図１０】
0003916131.tif 000011
【図１１】
0003916131.tif 000012
【図１２】
0003916131.tif 000013
【図１３】
0003916131.tif 000014